(57)【特許請求の範囲】
【請求項１】
建物外壁の桁の下縁上に設けた床板、建物の該桁の上縁に設けた金属支柱、石材、木材からなる通気床、建物外壁の桁の位置に予め設けた吸気孔、該孔を補強するために外壁桁の上に設けた補助桁、建物上方に設けた通気穴からなるエアコンシステムであり、
該通気床は金属支柱によって該桁の上縁に設置され、上記床板と共に桁の深さ部分（補助桁の下縁または桁の上縁から下縁までの距離を指す）に二層の床面を構成し、該石材と該木材は間に一定の空隙を保ちながら該金属支柱の上に設置され、該建物外壁の桁の位置に予め設けた孔が建物外壁の吸気孔となって、屋外の空気を該金属支柱、該石材・木材と下床板との間に取り込み、木材と石材との間の空隙を通って室内に送り、室内に発生する暖かい空気を建物上方の通気穴から排出し、木材の吸湿作用と石材の凝結作用によって、空気を除湿、低温化させてなることを特徴とする通気床エアコンシステム。
【発明の詳細な説明】
【０００１】
【産業上の利用分野】
本発明は通気床エアコン・システムに関するもので、特に従来の床板を建物の桁の下縁に設置し、金属支柱、石材、木材を組み合わせてなる通気床を該桁上縁に設置して二層の床面を形成する方法を用いて、通気床と下床板との間にできる通気道によって室内の通気を促し、さらに木材の吸湿作用と石材の凝結作用によって空気を低温化し除湿するものに関する。
【０００２】
【従来の技術と発明が解決しようとする課題】
従来の床は中実、密封であったため、床を通しては室内の空気調節を行うという目的を遂行できず、亜熱帯地域の湿気が多く蒸し暑い気候に対して、現在ではほとんどが除湿機とクーラーというエネルギー消耗型の方式によって住居空間の湿気と蒸し暑さの問題を解決している。しかしエネルギーが日増しに欠乏していく今後において、建物内部の自然な換気を盛んにし、省エネ方式で物理環境を制御するという目的を達成し、室内をより爽やかにかつ快適に保ち、健全な居住環境を築くことが求められることから、これらは解決が急がれる課題になっている。
【０００３】
【課題を解決するための手段】
かかる課題に対して本発明者は検討、研究を重ね、中国雲南省、貴州省でよく見られる「乾欄式建築」の設計原理を、台湾の湿気が多く蒸し暑い気候タイプにおける建物の室内床に応用すれば、室内の爽やかな空気の流れを促し、健全な居住環境にするという目標を達成できることを発見、本発明を完成した。
【０００４】
本発明に関する通気床エアコンシステムは、金属支柱、石材、木材からなる通気床、建物外壁の桁の位置に予め設けた吸気孔、該孔を補強するために外壁桁の上に設置する補助桁、建物上方に設けた通気孔からなるエアコンシステムであり、このうち該金属支柱は建物桁の上に設け、該石材および該木材は相互に一定の空隙を持たせて該金属支柱上に設置するもので、該建物外壁の桁の位置に予め設けた孔は、建物外壁の通気孔となる。屋外の空気は該金属支柱・該石材・該木材と下床板との間に取り込まれ、木材と石材との間の空隙を通じて室内に入り、木材の吸湿作用と石材の凝結作用によって流入した空気を除湿、低温化し、室内に発生する暖かい空気を建物上方の穴から排出させる。建物外壁の桁の位置に予め設けた吸気孔は、建物の外壁の強度を損なうため、設置する吸気孔が外壁の強度を損なわないように、建物外壁の桁上に別に補助桁を設けて構造を補強する。
【０００５】
本発明は建物の桁の下縁に設置する従来型の床板に対応して、該桁の上縁に通気床を設置し、桁の深さ部分に形成される二層の床面を提供するものである。該通気床は金属支柱、石材、木材を組み合わせてなり、このうち該金属支柱は該木材と該石材を固定させて支え、該木材・石材とその下にある床板との間に一定の距離を保たせ直に接触させないようにする。また木材と石材との間に一定の空隙を持たせ、屋外の空気を通気床と下床板との間に形成される通道から進入させ、暖かい空気は上昇するという原理を利用して、通気床の木材と石材との間の空隙を通じて室内に流れ込ませ、通気床の木材の吸湿作用と石材の凝結作用によって空気を低温化し除湿するという目的を達成する。該建物外壁の桁の位置に予め設けた孔は通気孔となりうるが、屋外の空気の流入量を調節するために、ここにブラインドや濾過装置を設置してもよい。
【０００６】
床上での人の行き来や器具設備の使用などにより室温は上昇しがちであるが、本発明に関する通気床は、熱気流は上昇するという原理を用いて室内の暖かい空気を上昇させるので、屋外の空気は通気床の木材と石材との間の空隙を通じて下から上に向かって室内に流れ込むことができ、また木材の吸湿作用と石材の凝結作用を利用することにより、住居空間の除湿と低温化という目的を達成した。
【０００７】
【実施例】
次に本発明を詳細に説明する（付図参照）。
図１は本発明に関する通気床エアコンシステムの上面図である。図２は図１のＡ−Ａ断面における通気床エアコンシステムの断面図である。このうち木材および石材（３）は金属支柱（２）によって支えられて床板（４）上に設置され、該床板と直に接触しないようになっている。通常床板（４）は建物外壁の桁（５）の下縁に設置されるので、本発明では通気床を該桁（５）の上縁に設置することで、桁の深さ部分（補助桁（６）の下縁または桁（５）の上縁から下縁までの距離を指す）を利用して本発明の通気床を備える二層の床面を形成させた。該通気床は金属支柱（２）、相互に一定の空隙（８）を備える方式で設置された該金属支柱上の石材および木材（３）を組み合わせてなり、このうち該金属支柱（２）は該木材および石材（３）を固定して支えるものとする。
通気床の木材および石材（３）の上は通常、日常生活の活動空間であり、人の日常活動やその他電気製品の使用により、暖かい空気が必ず発生するが、暖かい空気は上昇するという原理に基づき、かかる暖かい空気は建物上方の穴（７）から排出される。
建物外壁の桁の位置（５）上に吸気口（１）を設け、屋外の空気を吸気口（１）から通気床の木材および石材（３）と床板（４）との間の通道に進入させ、さらに木材および石材（３）の間の空隙（８）から室内に送り込み、木材および石材（３）の吸湿・凝結作用により、住居空間を涼しく爽やかで快適にするという目的を達成する。
本発明に関する通気床エアコンシステムにおいては、本出願人が実際に作った実験住宅（約４．８３坪、１５．９５ｍ2に相当）により通気床のエアコン試験を行った。その結果、建物外壁の桁の位置（５）に吸気口（１）（５９３６ｃｍ2）を設けたときにおいて、進入した屋外の空気の温度は２８．９℃、相対湿度は９０．２％であり、該空気は実験住宅内に設けた通気床（約４．８３坪、実験住宅の面積に相当）の木材および石材（３）と床板（４）との間の通道を通り、さらに木材および石材（３）の間の空隙（８）（接触する空隙の長さは５９ｃｍ、幅０．７１ｃｍ、深さ１５ｃｍ）を通って室内に流れ込んだ。木材および石材（３）（長さ６０ｃｍ、幅１５ｃｍ、高さ１５ｃｍ）の間の空隙は通気床の１３分の１とした。室内に進入した空気の温度、相対湿度は通気床の木材および石材（３）の吸湿・凝結作用を受けて、該温度、相対湿度はそれぞれ２７．１℃、７８．２％となった。吸湿、凝結後の空気と室内の空気とが熱交換を行い、発生した暖かい空気（温度、相対湿度はそれぞれ２８℃、８３．９％）は建物上方の穴（７）（約１５５８ｃｍ2）から排出された。
上記各構成物（１）〜（８）は、室内の空気を下から上へと自然循環させ、室内空間の自然な換気状態を作り出し、省エネ方式で物理環境を制御する目的を達成し、また通気床の木材の吸湿作用および石材の凝結作用を通じて、空気の除湿、低温化という目的に達した。
【０００８】
【図面の簡単な説明】
【図１】本発明に関する通気床エアコンシステムの断面図。
【図２】図１Ａ−Ａ面の通気床エアコンシステム断面図。
【符号の説明】
（１）吸気口
（２）金属支柱
（３）木材および石材
（４）床板
（５）建物外壁の桁
（６）建物外壁の補助桁
（７）建物上方の穴
（８）空隙
【図１】
0003837447.tif 000002
【図２】
0003837447.tif 000003